(57)【要約】【課題】この発明は、赤色系レーザ光を用いる光ディスクに対応するトレイと、青色系レーザ光を用いる光ディスクに対応するトレイとを、ユーザが容易に判別することができ、２種類の光ディスクをそれぞれ対応するトレイに誤りなく装着することを可能とした光ディスク装置を提供することを目的としている。【解決手段】キャビネット１２に対して出入自在に設けられ、青色系の着色が施された第１のトレイ２２を有し、該第１のトレイ２２に装着された第１の光ディスクに対して、青色系レーザ光を用いて情報の記録または再生を行なう第１のドライブ２０と、キャビネット１２に対して出入自在に設けられ、赤色系の着色が施された第２のトレイ２３を有し、該第２のトレイ２３に装着された第２の光ディスクに対して、赤色系レーザ光を用いて情報の記録または再生を行なう第２のドライブ２１とを備える。【選択図】    図３
2006018910.tif 000002
【特許請求の範囲】
【請求項１】
キャビネットに対して出入自在に設けられた第１のトレイを有し、該第１のトレイに装着された第１の光ディスクに対して、青色系レーザ光を用いて情報の記録または再生を行なう第１のドライブと、
前記キャビネットに設けられ前記第１のトレイを前記キャビネットに対して出入させるための第１のスイッチと、
前記キャビネットに設けられ前記第１のスイッチの操作に応じて点灯される青色系の第１の表示灯と、
前記キャビネットに対して出入自在に設けられた第２のトレイを有し、該第２のトレイに装着された第２の光ディスクに対して、赤色系レーザ光を用いて情報の記録または再生を行なう第２のドライブと、
前記キャビネットに設けられ前記第２のトレイを前記キャビネットに対して出入させるための第２のスイッチと、
前記キャビネットに設けられ前記第２のスイッチの操作に応じて点灯される赤色系の第２の表示灯とを具備することを特徴とする光ディスク装置。
【請求項２】
キャビネットに対して出入自在に設けられた第１のトレイを有し、該第１のトレイに装着された第１の光ディスクに対して、青色系レーザ光を用いて情報の記録または再生を行なう第１のドライブと、
前記キャビネットに設けられ前記第１のトレイを前記キャビネットに対して出入させるための青色系の着色が施された第１のスイッチと、
前記キャビネットに対して出入自在に設けられた第２のトレイを有し、該第２のトレイに装着された第２の光ディスクに対して、赤色系レーザ光を用いて情報の記録または再生を行なう第２のドライブと、
前記キャビネットに設けられ前記第２のトレイを前記キャビネットに対して出入させるための赤色系の着色が施された第２のスイッチとを具備することを特徴とする光ディスク装置。
【請求項３】
キャビネットに対して出入自在に設けられた第１のトレイを有し、該第１のトレイに装着された第１の光ディスクに対して、青色系レーザ光を用いて情報の記録または再生を行なう第１のドライブと、
前記キャビネットに設けられ前記第１のトレイを前記キャビネットに対して出入させるもので、前記第１の光ディスクを判別するための識別情報が付された第１のスイッチと、
前記キャビネットに対して出入自在に設けられた第２のトレイを有し、該第２のトレイに装着された第２の光ディスクに対して、赤色系レーザ光を用いて情報の記録または再生を行なう第２のドライブと、
前記キャビネットに設けられ前記第２のトレイを前記キャビネットに対して出入させるもので、前記第１の光ディスクを判別するための識別情報が付された第２のスイッチとを具備することを特徴とする光ディスク装置。
【請求項４】
キャビネットに対して出入自在に設けられ、青色系の着色が施された第１のトレイを有し、該第１のトレイに装着された第１の光ディスクに対して、青色系レーザ光を用いて情報の記録または再生を行なう第１のドライブと、
前記キャビネットに対して出入自在に設けられ、赤色系の着色が施された第２のトレイを有し、該第２のトレイに装着された第２の光ディスクに対して、赤色系レーザ光を用いて情報の記録または再生を行なう第２のドライブとを具備することを特徴とする光ディスク装置。
【請求項５】
キャビネットに対して出入自在に設けられ、装着される第１の光ディスクを判別するための識別情報が付された第１のトレイを有し、該第１のトレイに装着された前記第１の光ディスクに対して、青色系レーザ光を用いて情報の記録または再生を行なう第１のドライブと、
前記キャビネットに対して出入自在に設けられ、装着される第２の光ディスクを判別するための識別情報が付された第２のトレイを有し、該第２のトレイに装着された前記第２の光ディスクに対して、赤色系レーザ光を用いて情報の記録または再生を行なう第２のドライブとを具備することを特徴とする光ディスク装置。
【請求項６】
第１のトレイ出入部と第２のトレイ出入部とが形成されたキャビネットと、
前記キャビネットの第１のトレイ出入部に対して出入自在に設けられた第１のトレイを有し、該第１のトレイに装着された第１の光ディスクに対して、青色系レーザ光を用いて情報の記録または再生を行なう第１のドライブと、
前記キャビネットに設けられ前記第１のトレイを前記キャビネットに対して出入させるための第１のスイッチと、
前記キャビネットに設けられ前記第１のスイッチの操作に応じて点灯される青色系の第１の表示灯と、
前記キャビネットの第２のトレイ出入部に対して出入自在に設けられた第２のトレイを有し、該第２のトレイに装着された第２の光ディスクに対して、赤色系レーザ光を用いて情報の記録または再生を行なう第２のドライブと、
前記キャビネットに設けられ前記第２のトレイを前記キャビネットに対して出入させるための第２のスイッチと、
前記キャビネットに設けられ前記第２のスイッチの操作に応じて点灯される赤色系の第２の表示灯とを具備することを特徴とする光ディスク装置。
【請求項７】
第１のトレイ出入部と第２のトレイ出入部とが形成されたキャビネットと、
前記キャビネットの第１のトレイ出入部に対して出入自在に設けられた第１のトレイを有し、該第１のトレイに装着された第１の光ディスクに対して、青色系レーザ光を用いて情報の記録または再生を行なう第１のドライブと、
前記キャビネットに設けられ前記第１のトレイを前記キャビネットに対して出入させるための青色系の着色が施された第１のスイッチと、
前記キャビネットの第２のトレイ出入部に対して出入自在に設けられた第２のトレイを有し、該第２のトレイに装着された第２の光ディスクに対して、赤色系レーザ光を用いて情報の記録または再生を行なう第２のドライブと、
前記キャビネットに設けられ前記第２のトレイを前記キャビネットに対して出入させるための赤色系の着色が施された第２のスイッチとを具備することを特徴とする光ディスク装置。
【請求項８】
第１のトレイ出入部と第２のトレイ出入部とが形成されたキャビネットと、
前記キャビネットの第１のトレイ出入部に対して出入自在に設けられた第１のトレイを有し、該第１のトレイに装着された第１の光ディスクに対して、青色系レーザ光を用いて情報の記録または再生を行なう第１のドライブと、
前記キャビネットに設けられ前記第１のトレイを前記キャビネットに対して出入させるもので、前記第１の光ディスクを判別するための識別情報が付された第１のスイッチと、
前記キャビネットの第２のトレイ出入部に対して出入自在に設けられた第２のトレイを有し、該第２のトレイに装着された第２の光ディスクに対して、赤色系レーザ光を用いて情報の記録または再生を行なう第２のドライブと、
前記キャビネットに設けられ前記第２のトレイを前記キャビネットに対して出入させるもので、前記第２の光ディスクを判別するための識別情報が付された第２のスイッチとを具備することを特徴とする光ディスク装置。
【請求項９】
第１のトレイ出入部と第２のトレイ出入部とが形成されたキャビネットと、
前記キャビネットの第１のトレイ出入部に対して出入自在に設けられ、青色系の着色が施された第１のトレイを有し、該第１のトレイに装着された第１の光ディスクに対して、青色系レーザ光を用いて情報の記録または再生を行なう第１のドライブと、
前記キャビネットの第２のトレイ出入部に対して出入自在に設けられ、赤色系の着色が施された第２のトレイを有し、該第２のトレイに装着された第２の光ディスクに対して、赤色系レーザ光を用いて情報の記録または再生を行なう第２のドライブとを具備することを特徴とする光ディスク装置。
【請求項１０】
第１のトレイ出入部と第２のトレイ出入部とが形成されたキャビネットと、
前記キャビネットの第１のトレイ出入部に対して出入自在に設けられ、装着される第１の光ディスクを判別するための識別情報が付された第１のトレイを有し、該第１のトレイに装着された前記第１の光ディスクに対して、青色系レーザ光を用いて情報の記録または再生を行なう第１のドライブと、
前記キャビネットの第２のトレイ出入部に対して出入自在に設けられ、装着される第２の光ディスクを判別するための識別情報が付された第２のトレイを有し、該第２のトレイに装着された前記第２の光ディスクに対して、赤色系レーザ光を用いて情報の記録または再生を行なう第２のドライブとを具備することを特徴とする光ディスク装置。
【請求項１１】
第１の光ディスクを判別するための識別情報が付された第１のトレイ出入部と、第２の光ディスクを判別するための識別情報が付された第２のトレイ出入部とが形成されたキャビネットと、
前記キャビネットの第１のトレイ出入部に対して出入自在に設けられた第１のトレイを有し、該第１のトレイに装着された第１の光ディスクに対して、青色系レーザ光を用いて情報の記録または再生を行なう第１のドライブと、
前記キャビネットの第２のトレイ出入部に対して出入自在に設けられた第２のトレイを有し、該第２のトレイに装着された第２の光ディスクに対して、赤色系レーザ光を用いて情報の記録または再生を行なう第２のドライブとを具備することを特徴とする光ディスク装置。
【発明の詳細な説明】
【技術分野】
【０００１】
この発明は、赤色系レーザ光を用いる光ディスクと青色系レーザ光を用いる光ディスクとに対応可能な光ディスク装置に関する。
【背景技術】
【０００２】
周知のように、近年では、情報の高密度記録が可能な光ディスクとして、片面１層に約４．７ＧＢ（Giga Byte）もの情報記録容量を有するＤＶＤ（Digital Versatile Disk）が実用化されている。
【０００３】
このＤＶＤは、例えば波長が６５０ｎｍ程度の赤色系レーザ光を用いて情報の記録や再生を行なうもので、再生専用のＤＶＤ−ＲＯＭ（Read Only Memory）や、書き替え可能なＤＶＤ−ＲＡＭ（Random Access Memory）等、複数の種類が用意されている。
【０００４】
一方、現在では、例えば波長が４０５ｎｍ程度の青色系レーザ光を用いて情報の記録や再生を行なうことにより、ＤＶＤの４〜５倍もの情報記録を可能とした、いわゆるＨＤ（High Definition）−ＤＶＤが開発されている。
【０００５】
このため、市場においては、当然のことながら、ＤＶＤとＨＤ−ＤＶＤとに対して、選択的または同時に情報の記録や再生を行なうことができる、コンパチブルタイプの光ディスク装置の出現が要求されることになる。
【０００６】
ところで、このようなコンパチブルタイプの光ディスク装置にあっては、ＤＶＤとＨＤ−ＤＶＤとで使用するレーザ光の波長が異なるために、現状の技術では、ＤＶＤ用の光ヘッドとＨＤ−ＤＶＤ用の光ヘッドとを用意する必要がある。
【０００７】
そして、このことは、ＤＶＤ用の光ヘッドを有するＤＶＤ用ドライブと、ＨＤ−ＤＶＤ用の光ヘッドを有するＨＤ−ＤＶＤ用ドライブとの２種類のドライブを、光ディスク装置内に備えることを意味する。
【０００８】
この場合、ユーザは、ＤＶＤ用ドライブのトレイにＤＶＤを装着し、ＨＤ−ＤＶＤ用ドライブのトレイにＨＤ−ＤＶＤを装着することにより、それぞれの光ディスクに対して情報の記録や再生を行なうことが可能となる。
【０００９】
しかしながら、ＤＶＤとＨＤ−ＤＶＤとでは、トレイの形状が同じであるため区別がつきにくく、ＤＶＤ用ドライブのトレイにＨＤ−ＤＶＤを装着したり、ＨＤ−ＤＶＤ用ドライブのトレイにＤＶＤを装着したりといった誤りが生じ易くなる。
【００１０】
特許文献１には、光ディスク装置の筐体外装面の一部に、この装置に適応できる記録媒体の種別に対応させたカラーマーカを目視可能に設ける技術が開示されている。しかしながら、この特許文献１には、２つのトレイにそれぞれ対応する光ディスクを誤りなく装着させることについては、何らの記載もなされていないものである。
【特許文献１】特開平８−１７１７４２号公報
【発明の開示】
【発明が解決しようとする課題】
【００１１】
そこで、この発明は上記事情を考慮してなされたもので、赤色系レーザ光を用いる光ディスクに対応するトレイと、青色系レーザ光を用いる光ディスクに対応するトレイとを、ユーザが容易に判別することができ、２種類の光ディスクをそれぞれ対応するトレイに誤りなく装着することを可能とした光ディスク装置を提供することを目的とする。
【課題を解決するための手段】
【００１２】
この発明に係る光ディスク装置は、キャビネットに対して出入自在に設けられ、青色系の着色が施された第１のトレイを有し、該第１のトレイに装着された第１の光ディスクに対して、青色系レーザ光を用いて情報の記録または再生を行なう第１のドライブと、キャビネットに対して出入自在に設けられ、赤色系の着色が施された第２のトレイを有し、該第２のトレイに装着された第２の光ディスクに対して、赤色系レーザ光を用いて情報の記録または再生を行なう第２のドライブとを備えるようにしたものである。
【発明の効果】
【００１３】
上記した発明によれば、青色系レーザ光を使用する第１のドライブのトレイに青色系の着色を施し、赤色系レーザ光を使用する第２のドライブのトレイに赤色系の着色を施すようにしたので、ユーザは、赤色系レーザ光を用いる光ディスクに対応するトレイと、青色系レーザ光を用いる光ディスクに対応するトレイとを容易に判別することができ、２種類の光ディスクをそれぞれ対応するトレイに誤りなく装着することを可能となる。
【発明を実施するための最良の形態】
【００１４】
以下、この発明の第１の実施の形態について図面を参照して詳細に説明する。図１は、この第１の実施の形態で説明する光ディスク装置１１の外観を示している。すなわち、この光ディスク装置１１は、略薄型箱状に形成されたキャビネット１２を備えている。
【００１５】
このキャビネット１２の前面パネル１３には、その長手方向の一方側に片寄った位置にトレイ出入部１４が設けられている。このトレイ出入部１４は、後述するトレイが出入するための開口であって、通常は、蓋体１５によって閉塞されている。
【００１６】
また、キャビネット１２の前面パネル１３には、そのトレイ出入部１４の一方側に、ＨＤ−ＤＶＤ用のトレイ取り出しスイッチ１６と、このトレイ取り出しスイッチ１６の操作に基づいて青色に点灯する青色表示灯１７とが設置されている。
【００１７】
さらに、キャビネット１２の前面パネル１３には、そのトレイ出入部１４の他方側に、ＤＶＤ用のトレイ取り出しスイッチ１８と、このトレイ取り出しスイッチ１８の操作に基づいて赤色に点灯する赤色表示灯１９とが設置されている。
【００１８】
図２（ａ），（ｂ）は、上記前面パネル１３側からキャビネット１２の内部を見た状態を示している。まず、図２（ａ）に示すように、キャビネット１２内には、ＨＤ−ＤＶＤ用ドライブ２０とＤＶＤ用ドライブ２１とが横方向に並んで設置されている。
【００１９】
このうち、ＨＤ−ＤＶＤ用ドライブ２０は、そのトレイ２２に装着されたＨＤ−ＤＶＤに対して、青色系レーザ光を用いて情報の記録または再生を行なう機能を有する。また、ＤＶＤ用ドライブ２１は、そのトレイ２３に装着されたＤＶＤに対して、赤色系レーザ光を用いて情報の記録または再生を行なう機能を有する。
【００２０】
この場合、ＨＤ−ＤＶＤ用ドライブ２０は、そのトレイ２２が前面パネル１３のトレイ出入部１４に対応する位置となっている。このため、ＨＤ−ＤＶＤ用のトレイ取り出しスイッチ１６が操作されると、図３に示すように、ＨＤ−ＤＶＤ用ドライブ２０のトレイ２２が、蓋体１５を開放しトレイ出入部１４を挿通して前面パネル１３より外方に突出するようになされる。
【００２１】
このような、ＨＤ−ＤＶＤ用ドライブ２０のトレイ２２の突出状態において、上記青色表示灯１７が点灯し、現在出ているトレイ２２がＨＤ−ＤＶＤ用ドライブ２０のものであることを、ユーザに認識させることができる。
【００２２】
なお、ＨＤ−ＤＶＤ用ドライブ２０のトレイ２２の突出状態において、ＨＤ−ＤＶＤ用のトレイ取り出しスイッチ１６が操作されると、図１に示すように、トレイ２２がＨＤ−ＤＶＤ用ドライブ２０内に収容された入状態となり、トレイ出入部１４が蓋体１５によって閉塞される。
【００２３】
一方、図２（ａ）に示した状態で、ＤＶＤ用のトレイ取り出しスイッチ１８が操作されると、まず、ＨＤ−ＤＶＤ用ドライブ２０がキャビネット１２内で矢印Ａ方向に下降し、その後、ＤＶＤ用ドライブ２１がキャビネット１２内で矢印Ｄ方向に水平移動して、図２（ｂ）に示すように、先にＨＤ−ＤＶＤ用ドライブ２０のあった位置に移動される。
【００２４】
すなわち、ＤＶＤ用ドライブ２１は、そのトレイ２３が前面パネル１３のトレイ出入部１４に対応する位置となっている。このため、図４に示すように、ＤＶＤ用ドライブ２１のトレイ２３が、蓋体１５を開放しトレイ出入部１４を挿通して前面パネル１３より外方に突出するようになされる。
【００２５】
このような、ＤＶＤ用ドライブ２１のトレイ２３の突出状態において、上記赤色表示灯１９が点灯し、現在出ているトレイ２３がＤＶＤ用ドライブ２１のものであることを、ユーザに認識させることができる。
【００２６】
なお、ＤＶＤ用ドライブ２１のトレイ２３の突出状態において、ＤＶＤ用のトレイ取り出しスイッチ１８が操作されると、図１に示すように、トレイ２３がＤＶＤ用ドライブ２１内に収容された入状態となり、トレイ出入部１４が蓋体１５によって閉塞される。
【００２７】
また、図２（ｂ）に示した状態で、ＨＤ−ＤＶＤ用のトレイ取り出しスイッチ１６が操作されると、まず、ＤＶＤ用ドライブ２１がキャビネット１２内で矢印Ｃ方向に水平移動し、その後、ＨＤ−ＤＶＤ用ドライブ２０が矢印Ａ方向に上昇して、図２（ａ）に示す元の位置に戻される。そして、図３に示したように、ＨＤ−ＤＶＤ用ドライブ２０のトレイ２２が、蓋体１５を開放しトレイ出入部１４を挿通して前面パネル１３より外方に突出するようになされる。
【００２８】
上記した第１の実施の形態によれば、青色系レーザ光を使用するＨＤ−ＤＶＤ用ドライブ２０のトレイ２２が出状態のとき青色表示灯１７が点灯し、赤色系レーザ光を使用するＤＶＤ用ドライブ２１のトレイ２３が出状態のとき赤色表示灯１９が点灯する。
【００２９】
このため、ユーザは、現在出ているトレイがいずれのドライブ２０，２１のトレイであるかを容易に判別することができ、光ディスクをそれぞれ対応するトレイに誤りなく装着することが可能となる。
【００３０】
なお、上記した青色表示灯１７及び赤色表示灯１９は、消灯状態にあっても、ユーザが青色及び赤色を認識することができるので、ユーザは、目的に応じて操作すべきトレイ取り出しスイッチ１６，１８を容易に判別することができる。
【００３１】
また、青色系レーザ光を使用するＨＤ−ＤＶＤ用ドライブ２０に対応するトレイ取り出しスイッチ１６を青色に着色し、赤色系レーザ光を使用するＤＶＤ用ドライブ２１に対応するトレイ取り出しスイッチ１８を赤色に着色するようにしても、ユーザは、操作すべきトレイ取り出しスイッチ１６，１８を容易に判別することができる。
【００３２】
さらに、青色系レーザ光を使用するＨＤ−ＤＶＤ用ドライブ２０のトレイ２２を青色に着色し、赤色系レーザ光を使用するＤＶＤ用ドライブ２１のトレイ２３を赤色に着色することにより、ユーザは、出ているトレイを見るだけでいずれのドライブ２０，２１のトレイであるかを容易に判別することが可能である。
【００３３】
なお、この場合、トレイ２２，２３の全体を着色するのではなく、その一部分、例えば、突出方向の先端面２２ａ，２３ａのみを青色及び赤色に着色するようにしても良いものである。
【００３４】
また、着色は、青色及び赤色の着色剤を所定箇所に塗布することによって行なわれるだけでなく、青色及び赤色のラベルを所定箇所に貼付することによっても実現可能である。
【００３５】
さらに、色による判別だけでなく、図５に示すように、ＨＤ−ＤＶＤ用のトレイ取り出しスイッチ１６に「ＨＤ−ＤＶＤ」なる文字による識別情報を付し、ＤＶＤ用のトレイ取り出しスイッチ１８に「ＤＶＤ」なる文字による識別情報を付すこともできる。
【００３６】
また、図６に示すように、ＨＤ−ＤＶＤ用ドライブ２０のトレイ２２に「ＨＤ−ＤＶＤ」なる文字による識別情報を付し、図７に示すように、ＤＶＤ用ドライブ２１のトレイ２３に「ＤＶＤ」なる文字による識別情報を付しても良いものである。
【００３７】
次に、この発明の第２の実施の形態について説明する。図８は、この第２の実施の形態で説明する光ディスク装置２４の外観を示している。すなわち、この光ディスク装置２４は、略薄型箱状に形成されたキャビネット２５を備えている。
【００３８】
このキャビネット２５の前面パネル２６には、その長手方向の一方側に片寄った位置にトレイ出入部２７が設けられている。このトレイ出入部２７は、後述するトレイが出入するための開口であって、通常は、蓋体２８によって閉塞されている。
【００３９】
また、キャビネット２５の前面パネル２６には、そのトレイ出入部２７の近傍に、ＨＤ−ＤＶＤ用のトレイ取り出しスイッチ２９と、このトレイ取り出しスイッチ２９の操作に基づいて青色に点灯する青色表示灯３０とが設置されている。
【００４０】
さらに、このキャビネット２５の前面パネル２６には、その長手方向の他方側に片寄った位置にトレイ出入部３１が設けられている。このトレイ出入部３１は、後述するトレイが出入するための開口であって、通常は、蓋体３２によって閉塞されている。
【００４１】
また、キャビネット２５の前面パネル２６には、そのトレイ出入部３１の近傍に、ＤＶＤ用のトレイ取り出しスイッチ３３と、このトレイ取り出しスイッチ３３の操作に基づいて赤色に点灯する赤色表示灯３４とが設置されている。
【００４２】
図９は、上記前面パネル２６側からキャビネット２５の内部を見た状態を示している。すなわち、キャビネット２５内には、ＨＤ−ＤＶＤ用ドライブ３５とＤＶＤ用ドライブ３６とが横方向に並んで設置されている。
【００４３】
このうち、ＨＤ−ＤＶＤ用ドライブ３５は、そのトレイ３７に装着されたＨＤ−ＤＶＤに対して、青色系レーザ光を用いて情報の記録または再生を行なう機能を有する。また、ＤＶＤ用ドライブ３６は、そのトレイ３８に装着されたＤＶＤに対して、赤色系レーザ光を用いて情報の記録または再生を行なう機能を有する。
【００４４】
この場合、ＨＤ−ＤＶＤ用ドライブ３５は、そのトレイ３７が前面パネル２６のトレイ出入部２７に対応する位置となっている。このため、ＨＤ−ＤＶＤ用のトレイ取り出しスイッチ２９が操作されると、図１０に示すように、ＨＤ−ＤＶＤ用ドライブ３５のトレイ３７が、蓋体２８を開放しトレイ出入部２７を挿通して前面パネル２６より外方に突出するようになされる。
【００４５】
このような、ＨＤ−ＤＶＤ用ドライブ３５のトレイ３７の突出状態において、上記青色表示灯３０が点灯し、現在出ているトレイ３７がＨＤ−ＤＶＤ用ドライブ３５のものであることを、ユーザに認識させることができる。
【００４６】
なお、ＨＤ−ＤＶＤ用ドライブ３５のトレイ３７の突出状態において、ＨＤ−ＤＶＤ用のトレイ取り出しスイッチ２９が操作されると、図８示すように、トレイ３７がＨＤ−ＤＶＤ用ドライブ３５内に収容された入状態となり、トレイ出入部２７が蓋体２８によって閉塞される。
【００４７】
一方、図９に示した状態で、ＤＶＤ用ドライブ３６は、そのトレイ３８が前面パネル２６のトレイ出入部３１に対応する位置となっている。このため、ＤＶＤ用のトレイ取り出しスイッチ３３が操作されると、図１１に示すように、ＤＶＤ用ドライブ３６のトレイ３８が、蓋体３２を開放しトレイ出入部３１を挿通して前面パネル２６より外方に突出するようになされる。
【００４８】
このような、ＤＶＤ用ドライブ３６のトレイ３８の突出状態において、上記赤色表示灯３４が点灯し、現在出ているトレイ３８がＤＶＤ用ドライブ３６のものであることを、ユーザに認識させることができる。
【００４９】
なお、ＤＶＤ用ドライブ３６のトレイ３８の突出状態において、ＤＶＤ用のトレイ取り出しスイッチ３３が操作されると、図８に示すように、トレイ３８がＤＶＤ用ドライブ３６内に収容された入状態となり、トレイ出入部３１が蓋体３２によって閉塞される。
【００５０】
上記した第２の実施の形態によっても、第１の実施の形態と同様な効果を得ることができる。すなわち、青色系レーザ光を使用するＨＤ−ＤＶＤ用ドライブ３５のトレイ３７が出状態のとき青色表示灯３０が点灯し、赤色系レーザ光を使用するＤＶＤ用ドライブ３６のトレイ３８が出状態のとき赤色表示灯３４が点灯する。
【００５１】
このため、ユーザは、現在出ているトレイがいずれのドライブ３５，３６のトレイであるかを容易に判別することができ、光ディスクをそれぞれ対応するトレイに誤りなく装着することが可能となる。
【００５２】
なお、上記した青色表示灯３０及び赤色表示灯３４は、消灯状態にあっても、ユーザが青色及び赤色を認識することができるので、ユーザは、目的に応じて操作すべきトレイ取り出しスイッチ２９，３３を容易に判別することができる。
【００５３】
また、青色系レーザ光を使用するＨＤ−ＤＶＤ用ドライブ３５に対応するトレイ取り出しスイッチ２９を青色に着色し、赤色系レーザ光を使用するＤＶＤ用ドライブ３６に対応するトレイ取り出しスイッチ３３を赤色に着色するようにしても、ユーザは、操作すべきトレイ取り出しスイッチ２９，３３を容易に判別することができる。
【００５４】
さらに、青色系レーザ光を使用するＨＤ−ＤＶＤ用ドライブ３５のトレイ３７を青色に着色し、赤色系レーザ光を使用するＤＶＤ用ドライブ３６のトレイ３８を赤色に着色することにより、ユーザは、出ているトレイを見るだけでいずれのドライブ３５，３６のトレイであるかを容易に判別することが可能である。
【００５５】
なお、この場合、トレイ３７，３８の全体を着色するのではなく、その一部分、例えば、突出方向の先端面３７ａ，３８ａのみを青色及び赤色に着色するようにしても良いものである。
【００５６】
また、着色は、青色及び赤色の着色剤を所定箇所に塗布することによって行なわれるだけでなく、青色及び赤色のラベルを所定箇所に貼付することによっても実現可能である。
【００５７】
さらに、色による判別だけでなく、図１２に示すように、ＨＤ−ＤＶＤ用のトレイ取り出しスイッチ２９に「ＨＤ−ＤＶＤ」なる文字による識別情報を付し、ＤＶＤ用のトレイ取り出しスイッチ３３に「ＤＶＤ」なる文字による識別情報を付すこともできる。
【００５８】
また、図１３に示すように、ＨＤ−ＤＶＤ用ドライブ３５のトレイ３７に「ＨＤ−ＤＶＤ」なる文字による識別情報を付し、図１４に示すように、ＤＶＤ用ドライブ３６のトレイ３８に「ＤＶＤ」なる文字による識別情報を付しても良いものである。
【００５９】
さらに、図１５に示すように、ＨＤ−ＤＶＤ用ドライブ３５のトレイ３７が出入されるトレイ出入部２７の近傍に「ＨＤ−ＤＶＤ」なる文字による識別情報を記載し、ＤＶＤ用ドライブ３６のトレイ３８が出入されるトレイ出入部３１の近傍に「ＤＶＤ」なる文字による識別情報を記載しても良いものである。
【００６０】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００６１】
【図１】この発明の第１の実施の形態を示すもので、光ディスク装置の外観を説明するために示す斜視図。
【図２】同第１の実施の形態における光ディスク装置に内蔵された２種類のドライブを説明するために示す図。
【図３】同第１の実施の形態における光ディスク装置からＨＤ−ＤＶＤ用ドライブのトレイが出た状態を説明するために示す斜視図。
【図４】同第１の実施の形態における光ディスク装置からＤＶＤ用ドライブのトレイが出た状態を説明するために示す斜視図。
【図５】同第１の実施の形態における光ディスク装置の変形例を説明するために示す斜視図。
【図６】同第１の実施の形態における光ディスク装置の他の変形例の一部を説明するために示す斜視図。
【図７】同第１の実施の形態における光ディスク装置の他の変形例の残部を説明するために示す斜視図。
【図８】この発明の第２の実施の形態を示すもので、光ディスク装置の外観を説明するために示す斜視図。
【図９】同第２の実施の形態における光ディスク装置に内蔵された２種類のドライブを説明するために示す図。
【図１０】同第２の実施の形態における光ディスク装置からＨＤ−ＤＶＤ用ドライブのトレイが出た状態を説明するために示す斜視図。
【図１１】同第２の実施の形態における光ディスク装置からＤＶＤ用ドライブのトレイが出た状態を説明するために示す斜視図。
【図１２】同第２の実施の形態における光ディスク装置の変形例を説明するために示す斜視図。
【図１３】同第２の実施の形態における光ディスク装置の他の変形例の一部を説明するために示す斜視図。
【図１４】同第２の実施の形態における光ディスク装置の他の変形例の残部を説明するために示す斜視図。
【図１５】同第２の実施の形態における光ディスク装置のさらに他の変形例を説明するために示す斜視図。
【符号の説明】
【００６２】
１１…光ディスク装置、１２…キャビネット、１３…前面パネル、１４…トレイ出入部、１５…蓋体、１６…ＨＤ−ＤＶＤ用のトレイ取り出しスイッチ、１７…青色表示灯、１８…ＤＶＤ用のトレイ取り出しスイッチ、１９…赤色表示灯、２０…ＨＤ−ＤＶＤ用ドライバ、２１…ＤＶＤ用ドライバ、２２…トレイ、２３…トレイ、２４…光ディスク装置、２５…キャビネット、２６…前面パネル、２７…トレイ出入部、２８…蓋体、２９…ＨＤ−ＤＶＤ用のトレイ取り出しスイッチ、３０…青色表示灯、３１…トレイ出入部、３２…蓋体、３３…ＤＶＤ用のトレイ取り出しスイッチ、３４…赤色表示灯、３５…ＨＤ−ＤＶＤ用ドライバ、３６…ＤＶＤ用ドライバ、３７…トレイ、３８…トレイ。
【図１】
2006018910.tif 000003
【図２】
2006018910.tif 000004
【図３】
2006018910.tif 000005
【図４】
2006018910.tif 000006
【図５】
2006018910.tif 000007
【図６】
2006018910.tif 000008
【図７】
2006018910.tif 000009
【図８】
2006018910.tif 000010
【図９】
2006018910.tif 000011
【図１０】
2006018910.tif 000012
【図１１】
2006018910.tif 000013
【図１２】
2006018910.tif 000014
【図１３】
2006018910.tif 000015
【図１４】
2006018910.tif 000016
【図１５】
2006018910.tif 000017